(57)【要約】【課題】使用者がより安心して物品を選ぶことが可能なショーケースを提供する。【解決手段】飲食物３０を収容することが可能な収容室１２を有し、収容室１２を構成する壁部の一部が光透過性を有する板状部材１５によって構成された箱状のケース本体１１と、板状部材１５に設けられ、画像を表示することが可能な透明ディスプレイ２２と、を備え、透明ディスプレイ２２は、収容室１２に収容される飲食物３０の製造に関する情報である製造情報を含む画像を表示することが可能である。【選択図】図１５
2020130487.tif 000002
【特許請求の範囲】
【請求項１】
物品を収容することが可能な収容室を有し、前記収容室を構成する壁部の一部が光透過性を有する板状部材によって構成された箱状のケース本体と、
前記板状部材に設けられ、画像を表示することが可能な透明ディスプレイと、を備え、
前記透明ディスプレイは、前記収容室に収容される前記物品の製造に関する情報である製造情報を含む画像を表示することが可能であるショーケース。
【請求項２】
前記物品は、飲食物であり、
前記製造情報には、前記収容室に収容された前記飲食物の賞味期限又は消費期限が含まれる請求項１に記載のショーケース。
【請求項３】
前記製造情報には、前記収容室に収容される前記物品の製造が完了する予定時刻が含まれる請求項１又は請求項２に記載のショーケース。
【請求項４】
前記物品は、飲食物であり、
前記製造情報には、前記収容室に収容された前記飲食物の製造方法が含まれる請求項１から請求項３のいずれか１項に記載のショーケース。
【請求項５】
前記物品は、ワインとされ、
前記製造情報には、前記収容室に収容された前記ワインの銘柄、原産国、製造年、アルコール度数のうち少なくとも１つが含まれる請求項１から請求項４のいずれか１項に記載のショーケース。
【請求項６】
前記ショーケースが設置された店舗において前記ショーケース以外の箇所に保管された前記物品と同じ種類の物品を保管物と定義した場合において、
前記透明ディスプレイは、前記収容室に収容された前記物品の個数と前記保管物の個数とを合計した数値を表示することが可能である請求項１から請求項５のいずれか１項に記載のショーケース。
【請求項７】
前記物品は、ワインとされ、
前記透明ディスプレイは、前記収容室に収容された複数本の前記ワインのうち、特定のワインを推薦する文言を表示することが可能である請求項１から請求項６のいずれか１項に記載のショーケース。
【請求項８】
前記物品は、ワインとされ、
前記透明ディスプレイは、前記収容室に収容された前記ワインに対応付けられた特定の料理を推薦する文言を表示することが可能である請求項１から請求項７のいずれか１項に記載のショーケース。
【請求項９】
前記物品は、所定温度以下に冷却された容器とされ、
前記製造情報には、前記冷却された容器が冷えていることを使用者に報知する文言が含まれており、
前記透明ディスプレイは、前記透明ディスプレイが有する画像表示領域のうち、前記冷却された容器と重なる箇所に前記文言を表示する請求項１に記載のショーケース。
【発明の詳細な説明】
【技術分野】
【０００１】
本発明は、ショーケースに関する。
【背景技術】
【０００２】
従来、ショーケースとして、下記特許文献１に記載のものが知られている。特許文献１には、前面がガラスによって構成されることで、その内部に収容された飲食物を使用者が視認することが可能な構成のものが記載されている。
【先行技術文献】
【特許文献】
【０００３】
【特許文献１】特許第３３４７８７６号公報
【発明の概要】
【発明が解決しようとする課題】
【０００４】
上記構成のようなショーケースでは、ショーケースを使用する使用者は内部に収容された物品の外観を確認することができる。しかしながら、物品を購入する際には、外観以外の情報を確認したいという要望がある。使用者は物品について様々な情報を得ることで、より安心して物品を選ぶことができるため、この点について改善の余地があった。
【０００５】
本発明は上記のような事情に基づいて完成されたものであって、使用者がより安心して物品を選ぶことが可能なショーケースを提供することを目的とする。
【課題を解決するための手段】
【０００６】
上記課題を解決するために、本発明のショーケースは、物品を収容することが可能な収容室を有し、前記収容室を構成する壁部の一部が光透過性を有する板状部材によって構成された箱状のケース本体と、前記板状部材に設けられ、画像を表示することが可能な透明ディスプレイと、を備え、前記透明ディスプレイは、前記収容室に収容される前記物品の製造に関する情報である製造情報を含む画像を表示することが可能であることに特徴を有する。ショーケースの使用者は、透明ディスプレイに表示される画像から物品の製造に関する情報を得ることができる。これにより使用者はより安心して物品を選ぶことができる。
【０００７】
また、前記物品は、飲食物であり、前記製造情報には、前記収容室に収容された前記飲食物の賞味期限又は消費期限が含まれるものとすることができる。使用者は、飲食物の賞味期限又は消費期限を確認することができる。これにより、使用者はより安心して飲食物を選ぶことができる。
【０００８】
また、前記製造情報には、前記収容室に収容される前記物品の製造が完了する予定時刻が含まれるものとすることができる。使用者は、収容室に収容される物品の完成予定時刻を確認することができる。このため、例えば、その完成予定時刻に再度ショーケースを訪れるようにすれば、その物品を購入することができる。
【０００９】
また、前記物品は、飲食物であり、前記製造情報には、前記収容室に収容された前記飲食物の製造方法が含まれるものとすることができる。使用者は、飲食物の作り方を確認することができる。これにより、使用者はより安心して飲食物を選ぶことができる。
【００１０】
また、前記物品は、ワインとされ、前記製造情報には、前記収容室に収容された前記ワインの銘柄、原産国、製造年、アルコール度数のうち少なくとも１つが含まれるものとすることができる。使用者は、ワインを手に取ることなく、ワインの情報を確認することができる。
【００１１】
また、前記ショーケースが設置された店舗において前記ショーケース以外の箇所に保管された前記物品と同じ種類の物品を保管物と定義した場合において、前記透明ディスプレイは、前記収容室に収容された前記物品の個数と前記保管物の個数とを合計した数値を表示することが可能であるものとすることができる。
【００１２】
店舗では、在庫置き場からショーケースに物品を運搬する場合がある。このため、在庫置き場に物品があるにも関わらず、ショーケース内に十分な個数の物品が補充されていないことが考えられる。従来、使用者は、ショーケース内の物品の個数のみを確認して購入するか否かを検討するため、ショーケース内に所望の個数の物品がない場合には、その物品の購入を諦める可能性があった。上記構成では、店舗にある物品の総数を使用者が知ることができるため、使用者がその物品の購入を諦める事態を抑制することができる。
【００１３】
また、前記物品は、ワインとされ、前記透明ディスプレイは、前記収容室に収容された複数本の前記ワインのうち、特定のワインを推薦する文言を表示することが可能であるものとすることができる。使用者がお薦めのワインを知ることができるので、ワインを選択する際の手助けになると共に、ワインに対する使用者の購買意欲をより高くすることができる。
【００１４】
また、前記物品は、ワインとされ、前記透明ディスプレイは、前記収容室に収容された前記ワインに対応付けられた特定の料理を推薦する文言を表示することが可能であるものとすることができる。例えば、ワインによく合う料理を使用者に提案することができるため、ワインに対する使用者の購買意欲をより高くすることができる。
【００１５】
また、前記物品は、所定温度以下に冷却された容器とされ、前記製造情報には、前記冷却された容器が冷えていることを使用者に報知する文言が含まれており、前記透明ディスプレイは、前記透明ディスプレイが有する画像表示領域のうち、前記冷却された容器と重なる箇所に前記文言を表示するものとすることができる。
【００１６】
使用者は、収容室に収容された複数の容器の中から、冷却された容器を容易に識別することができるため、冷却された容器を用いて、よく冷えた飲料を飲むことができる。なお、「冷却された容器が冷えていることを報知する文言」は、「冷却された容器」の製造が完了したことを報知するものであるため、「冷却された容器」の製造に関する製造情報である。
【発明の効果】
【００１７】
本発明によれば、使用者がより安心して物品を選ぶことが可能なショーケースを提供することができる。
【図面の簡単な説明】
【００１８】
【図１】本発明の実施形態１に係るショーケースを示す斜視図
【図２】図１のショーケースを後方（扉側）から視た図
【図３】図１のショーケースを示す断面図（図１のＩＩＩ−ＩＩＩ線で切断した図に対応）
【図４】板状部材を示す断面図
【図５】枠部を後方から視た図
【図６】ショーケースの電気的構成を示すブロック図
【図７】収容室を示す正面図
【図８】透明ディスプレイの領域２２Ａに画像が表示された状態を示す図
【図９】透明ディスプレイの領域２２Ｂに画像が表示された状態を示す図
【図１０】領域２２Ａにおける第１表示処理と第１非表示処理を示すフローチャート
【図１１】領域２２Ｂにおける第２表示処理と第２非表示処理を示すフローチャート
【図１２】人感センサに係る制御部の処理を示すフローチャート
【図１３】「飲食物の素材の分量、原産地」を含む画像の一例を示す図
【図１４】「飲食物の素材のうち、宗教上の禁忌に該当する素材の名称」を含む画像の一例を示す図
【図１５】「飲食物の製造方法」を含む画像の一例を示す図
【図１６】「飲食物の断面」を含む画像の一例を示す図
【図１７】「飲食物の素材のうち、食物アレルギーを引き起こす可能性のある素材の名称」及び「飲食物の賞味期限」を含む画像の一例を示す図
【図１８】「飲食物の在庫数」を含む画像の一例を示す図
【図１９】実施形態２に係るショーケースを示す正面図
【図２０】「ワインに貼り付けられたラベル」及び「ワインに対応付けられた特定の料理（そのワインに合う料理）を推薦する文言」の一例を示す図
【図２１】「収容室に収容された複数本のワインのうち、特定のワインを推薦する文言」の一例を示す図
【図２２】実施形態３に係るショーケースを示す正面図
【図２３】温度センサに係る制御部の処理を示すフローチャート
【図２４】実施形態４に係るショーケースを示す正面図
【図２５】実施形態５に係るショーケースを示す断面図（側方から視た断面図）
【図２６】調光フィルムに係る制御部の処理を示すフローチャート
【図２７】実施形態６に係る収容室を示す正面図
【図２８】実施形態７に係るショーケースを示す断面図（側方から視た断面図）
【図２９】実施形態７に係る枠部を後方から視た図
【図３０】実施形態７に係る収容室を上方から視た図
【発明を実施するための形態】
【００１９】
＜実施形態１＞
本発明の実施形態１を図１から図１８によって説明する。本実施形態では、冷蔵用のショーケース１０について例示する。なお、本実施形態のショーケース１０は、ディスプレイケースと呼ばれることがある。ショーケース１０は、図１に示すように、箱状のケース本体１１を備える。ケース本体１１は、図３に示すように、飲食物（物品）を収容することが可能な収容室１２を構成する箱状の収容室構成部１３と、収容室１２を開閉可能な一対の扉１４，１４と、を備える。収容室構成部１３は、横長の箱状をなしており、収容室構成部１３の前面は、主に板状部材１５によって構成されている。板状部材１５は、主にガラスによって構成されており、光透過性を有している。このため、ショーケース１０の使用者は、板状部材１５越しに収容室１２内の飲食物３０を視認することができる。つまり、板状部材１５は、収容室を構成する前壁部（壁部の一部）である。
【００２０】
図２に示すように、一対の扉１４，１４は、左右方向にスライド可能な引き戸形式の扉である。これにより、一対の扉１４，１４のうち一方をスライドさせることで、後方に開口された収容室１２に対して後方から飲食物を差し入れることができる。以下の説明では、板状部材１５側を前側（図３では左側）、一対の扉１４，１４側を後側とし、収容室構成部１３の長手方向をショーケース１０の左右方向として説明する。収容室１２には、飲食物を陳列するための棚板１６が複数段にわたって設けられている。
【００２１】
収容室構成部１３の上方には機械室１７が設けられ、その中には冷却装置１８が設置されている。冷却装置１８は、圧縮機、凝縮器、冷却器、凝縮器ファン、冷却ファン等を備える。圧縮機を運転させつつ、冷却ファンを駆動すると、冷却器によって生成された冷気が収容室１２に供給される構成となっている。これにより、収容室１２を冷却することが可能となっている。
【００２２】
板状部材１５は、図４に示すように、前後方向に間隔を空けて対向配置された一対の板材１９，２０と、一対の板材１９，２０の周端部間の隙間を塞ぐスペーサ２１と、を備える。一対の板材１９，２０の間には、透明ディスプレイ２２とタッチパネル２３とが配されている。つまり、透明ディスプレイ２２とタッチパネル２３は、板状部材１５の内部に設けられている。透明ディスプレイ２２は、光透過性を有する液晶ディスプレイであり、後述するＬＥＤ２４（光源、図３参照）からの光を用いて画像を表示することが可能な構成となっている。なお、一対の板材１９，２０の間の空間は、密閉された空間である。また、一対の板材１９，２０の間の空間に乾燥した空気や不活性ガスが封入されていてもよい。
【００２３】
タッチパネル２３は、光透過性を有しており、例えば透明ディスプレイ２２の前面を覆う形で透明ディスプレイ２２に貼り付けられている。タッチパネル２３は、透明ディスプレイ２２に対するタッチ操作を位置毎に検知することが可能な構成となっている。なお、タッチパネル２３が透明ディスプレイ２２の後面に貼り付けられていてもよい。なお、板材１９，２０の各々は、例えば透明なガラス板とされるが、これに限定されない。また、前側の板材１９の前面（板状部材１５における収容室１２と反対側の面）には、シート状のヒータ２８が設けられている。タッチパネル２３としては例えば静電容量方式のものを用いることができるが、これに限定されない。
【００２４】
図１に示すように、板状部材１５は方形状をなしており、ケース本体１１は、板状部材１５を囲む方形状の枠部２５を備える。図５に示すように、枠部２５の裏面（収容室１２側の面）には、ＬＥＤユニット２６が設けられている。ＬＥＤユニット２６は、板状のＬＥＤ基板２７上に複数のＬＥＤ２４を並べることで構成されている。ＬＥＤユニット２６は、枠部２５を構成する四辺の各々に設けられている。収容室１２の内面のうち、板状部材１５に対応する箇所を除いた各内面１２Ａ，１２Ｂ，１２Ｃ，１２Ｄ（図３参照）は、光反射性の高い白色の板材（例えばアクリル板等）によって構成された光反射面である。なお、内面１２Ａは下方を向く面、内面１２Ｂは上方を向く面（飲食物が置かれる載置面）である。また、内面１２Ｃは、側方を向く面であり、内面１２Ｄは、前方を向く面（扉１４の前面）である。
【００２５】
これにより、各ＬＥＤ２４から後方に出射された光は、光反射面である各内面１２Ａ，１２Ｂ，１２Ｃ，１２Ｄに反射されることで、前方に向かい、透明ディスプレイ２２を通じてショーケース１０の前方に出射することが可能となっている。この結果、ＬＥＤ２４からの光によって収容室１２内の飲食物３０を照らすと共に、透明ディスプレイ２２が、ＬＥＤ２４からの光を用いて画像を表示することが可能となっている。なお、以下の説明では、枠部２５の上辺を構成する上辺部２９における裏面に設けられたＬＥＤユニット２６に符号２６Ａを付し、ＬＥＤユニット２６ＡのＬＥＤ２４に符号２４Ｄを付す。ＬＥＤユニット２６ＡのＬＥＤ２４Ｄ（光源）は、その光出射面２４Ａが、後方（収容室側の面から遠ざかる方向）に向かうにつれて下降傾斜する方向を向いている。言い換えると、ＬＥＤ２４Ｄの光出射面２４Ａは、棚板１６に配置された飲食物３０を向く形で配されている。また、枠部２５の下辺を構成する部分には、人の接近を検出することが可能な人感センサ３１が設けられている。このような人感センサ３１としては、例えば赤外線センサを用いることができるが、これに限定されない。
【００２６】
次に、ショーケース１０の電気的構成について説明する。図６に示すように、ショーケース１０は、制御部３２を備える。制御部３２には、記憶部３３、冷却装置１８（より詳しくは圧縮機、凝縮器ファン、冷却ファン）、透明ディスプレイ２２、ＬＥＤ２４、タッチパネル２３、ヒータ２８、人感センサ３１、通信部３４がそれぞれ電気的に接続されている。制御部３２は、例えば、ＣＰＵを主体に構成されており、記憶部３３は、例えば、ＲＯＭやＲＡＭなどによって構成されている。制御部３２は、記憶部３３に記憶されたコンピュータプログラムを実行することで、制御部３２に接続された各機器の動作を制御することが可能となっている。
【００２７】
通信部３４は、ショーケース１０が設置された店舗等に配置された管理用のコンピュータ３５との通信を行うためのインタフェースであり、コンピュータ３５と通信ネットワークを介して接続されている。制御部３２は、通信部３４を介してコンピュータ３５から送信されたデータ（例えば、飲食物の在庫数や飲食物の製造完了時刻等）を受信し、記憶部３３に記憶させることができる。なお、制御部３２のうち冷却装置１８の制御を行う部分と、透明ディスプレイ２２に画像を表示させるための制御を行う部分とは、別々の機器によって構成されていてもよい。
【００２８】
次に、透明ディスプレイ２２の画像表示について詳しく説明する。透明ディスプレイ２２は、図７に示すように、収容室１２に配された各飲食物に対応する領域を有している。本実施形態では、正面視（透明ディスプレイ２２越しに収容室１２を視た場合）において、左右方向に２個並んだ飲食物３０が、上下に３段配置されているものを例示する。飲食物は前後方向に複数個並んでいてもよい。つまり、透明ディスプレイ２２は、正面視において、６つの領域２２Ａ，２２Ｂ，２２Ｃ，２２Ｄ，２２Ｅ，２２Ｆを有している。以下の説明では、透明ディスプレイ２２における６つの領域２２Ａ〜２２Ｆのうち、上側の２つの領域２２Ａ，２２Ｂを例示して説明する。また、正面視において領域２２Ａ（第１領域）と重なる飲食物３０を飲食物３０Ａ（第１物品）と呼び、正面視において領域２２Ｂ（第２領域）と重なる飲食物３０を飲食物３０Ｂ（第２物品）と呼ぶものとする。
【００２９】
制御部３２は、図１０に示すように、領域２２Ａに画像が表示されていない場合（図１０のステップＳ１１で「ＮＯ」）に、領域２２Ａにおいてタッチ操作が検知された場合（図１０のステップＳ１２で「ＹＥＳ」）に、領域２２Ａにおいて飲食物３０Ａに関する情報を含む画像を表示する第１表示処理（図１０のステップＳ１４）を実行する。また、制御部３２は、図１１に示すように、領域２２Ｂに画像が表示されていない場合（図１１のステップＳ２１で「ＮＯ」）に、領域２２Ｂにおいてタッチ操作が検知された場合（図１１のステップＳ２２で「ＹＥＳ」）に、領域２２Ｂにおいて飲食物３０Ｂに関する情報を含む画像を表示する第２表示処理（図１１のステップＳ２４）と、を実行する。なお、図８では領域２２Ａに画像６０Ａ（飲食物３０Ａに関する情報を含む画像）が表示された状態を図示しており、図９では領域２２Ｂに画像６０Ｂ（飲食物３０Ｂに関する情報を含む画像）が表示された状態を図示している。
【００３０】
また、制御部３２は、図１０に示すように、領域２２Ａに画像が表示されている場合（図１０のステップＳ１１で「ＹＥＳ」）において、領域２２Ａにおいてタッチ操作が検知された場合（図１０のステップＳ１３で「ＹＥＳ」）に、領域２２Ａの画像を非表示にする（消去する）第１非表示処理（図１０のステップＳ１５）を実行する。また、制御部３２は、図１１に示すように、領域２２Ｂに画像が表示されている場合（図１１のステップＳ２１で「ＹＥＳ」）において、領域２２Ｂにおいてタッチ操作が検知された場合（図１１のステップＳ２３で「ＹＥＳ」）に、領域２２Ｂの画像を非表示にする（消去する）第２非表示処理（図１１のステップＳ２５）と、を実行する。
【００３１】
このように、本実施形態では、使用者がタッチ操作を行うことで、領域２２Ａや領域２２Ｂに表示される各画像について表示と非表示とを切り替えることができる。画像を非表示にすることで、板状部材１５越しに飲食物の外観を容易に確認することができる。なお、制御部３２は、各領域２２Ｃ〜２２Ｆについてタッチ操作が検知された場合に、各領域２２Ｃ〜２２Ｆについて画像の表示及び非表示をそれぞれ切り替えることができる。
【００３２】
また、制御部３２は、図１２に示すように、人感センサ３１によって人の接近が検知されていない場合（図１２のステップＳ３１で「ＮＯ」）には、透明ディスプレイ２２に画像Ａを表示させ（図１２のステップＳ３２）、人感センサ３１によって人の接近が検知されている場合（図１２のステップＳ３１で「ＹＥＳ」）には、透明ディスプレイ２２に画像Ｂ（画像Ａとは異なる画像）を表示させる（図１２のステップＳ３３）。つまり、制御部３２は、人感センサ３１によって人の接近が検知された際には、透明ディスプレイ２２に表示されている画像を別の画像に切り替える画像切替処理を実行することができる。これにより、例えば、ショーケース１０の付近に人が居ない場合には、広告等の動画（画像Ａの一例）を透明ディスプレイ２２に表示しておき、ショーケース１０に人が接近した場合には、飲食物３０に関する情報を含む画像（画像Ｂの一例）を透明ディスプレイ２２に表示させることができる。
【００３３】
次に、透明ディスプレイ２２が表示することが可能な画像について詳しく説明する。透明ディスプレイ２２が表示することが可能な画像としては、収容室１２に収容された飲食物３０に関する情報を含む画像を例示することができる。飲食物３０に関する情報を含む画像としては、「飲食物３０の素材に関する情報（素材情報）を含む画像」と「飲食物３０の製造に関する情報（製造情報）を含む画像」とを例示することができる。なお、飲食物３０に関する情報は、例えば記憶部３３に記憶されており、制御部３２は、記憶部３３に記憶されているデータに基づいて画像を生成し、その画像を透明ディスプレイ２２に表示させることができる。
【００３４】
飲食物３０の素材情報としては、下記（１）〜（５）を例示することができる。
素材情報（１）：飲食物３０の素材の分量
素材情報（２）：飲食物３０の素材の原産地
素材情報（３）：飲食物３０の素材のうち、宗教上の禁忌に該当する素材の名称
素材情報（４）：飲食物３０の断面を示す画像
素材情報（５）：飲食物３０の素材のうち、食物アレルギーを引き起こす可能性のある素材の名称
【００３５】
図１３から図１８に透明ディスプレイ２２が表示することが可能な画像の一例（画像６０Ｄ〜６０Ｉ）を示す。図１３に示す画像６０Ｄは「飲食物３０の素材の分量、原産地」を含む画像の一例である。また、透明ディスプレイ２２は、図１３の画像６０Ｄに示すように、「飲食物３０のカロリーの値」を表示することも可能となっている。図１４に示す画像６０Ｅは「飲食物３０の素材のうち、宗教上の禁忌に該当する素材の名称」を含む画像の一例である。図１４では、宗教上の禁忌に該当する素材として、牛肉（ＢＥＥＦ）及びみりん（ＳＷＥＥＴ  ＳＡＫＥ）を例示している。図１６に示す画像６０Ｇは、飲食物３０の断面（図１６ではケーキの断面を例示）を示す画像の一例である。使用者は、飲食物３０の断面を視ることで、その飲食物３０の素材を確認することができる。図１７に示す画像６０Ｈは「飲食物３０の素材のうち、食物アレルギーを引き起こす可能性のある素材の名称」を含む画像の一例である。図１７では、食物アレルギーを引き起こす可能性のある素材として、小麦及び卵を例示しているが、これに限定されない。
【００３６】
また、飲食物の製造情報としては、下記（６）〜（８）を例示することができる。
製造情報（６）：飲食物３０の賞味期限（又は消費期限）
製造情報（７）：飲食物３０の製造方法
製造情報（８）：収容室に収容される飲食物３０の製造が完了する予定時刻
図１７に示す画像６０Ｈは「飲食物３０の賞味期限」を含む画像の一例である。また、図９に示す画像６０Ｂは「出来上がり時間（収容室に収容される飲食物３０の製造が完了する予定時刻、出来上がり時間１５：００の文言参照）」を含む画像の一例である。
【００３７】
なお、飲食物３０の出来上がり時間は、例えば、店舗等に配置された管理用のコンピュータ３５からショーケース１０に送信される。制御部３２は、コンピュータ３５から送信された出来上がり時間のデータに基づいて、常に最新の出来上がり時間を透明ディスプレイ２２に表示させることができる。また「飲食物の製造方法」としては、例えば、飲食物３０の製造過程を示す動画や飲食物３０の製造過程を静止画によるスライドショーで示すものを例示することができる。また「飲食物の製造方法」として、図１５に示すように、飲食物３０のレシピが含まれる画像６０Ｆを表示してもよい。図１５では、飲食物の製造方法として、肉じゃがのレシピを例示している。なお、図１３から図１５では、飲食物３０として肉じゃがを例示し、図１６から図１８では、飲食物３０としてショートケーキを例示しているが、飲食物３０の種類はこれらに限定されず適宜変更可能である。
【００３８】
また、透明ディスプレイ２２は、図１８に示すように、ある飲食物（例えば、飲食物３０Ａ）と重なる箇所に、その飲食物３０Ａの在庫数を含む画像６０Ｉを表示することができる（「残り、５個あります」の文言参照）。ショーケース１０が設置された店舗においてショーケース１０以外の箇所（例えば調理場等）に保管された「飲食物３０Ａと同じ種類の飲食物３０Ａ」を保管物と定義した場合において、「飲食物３０Ａの在庫数」は、「収容室に収容された飲食物３０Ａの個数」と「保管物の個数」とを合計した数値である。例えば、ショーケース１０が設置された店舗において、ショートケーキが、ショーケース１０内に２個（収容室に収容された飲食物３０Ａの個数）、ショーケース１０以外の箇所に３個（保管物の個数）あるとしたら、ショートケーキの在庫数は５個である。また、ショーケース１０が設置された店舗において、ショートケーキが、ショーケース１０内に０個、ショーケース１０以外の箇所に５個あるとしたら、ショートケーキの在庫数は５個である。なお、飲食物の在庫数のデータは、店舗等に配置された管理用のコンピュータ３５から在庫数が変化する度にショーケース１０に送信される。なお、飲食物の在庫数は、例えば、飲食物３０Ａの製造個数から、売れた飲食物３０Ａの個数を減算することが求めることができる。制御部３２は、コンピュータ３５から送信された飲食物３０Ａの在庫数に基づいて、常に最新の在庫数を透明ディスプレイ２２に表示させることができる。なお、制御部３２は、コンピュータ３５から所定期間中（例えば当日中）に飲食物３０Ａが売れた個数を受信し、これを透明ディスプレイ２２に表示させることもできる。
【００３９】
次に本実施形態の効果について説明する。本実施形態によれば、ショーケース１０の使用者は、透明ディスプレイ２２に表示される画像から飲食物３０の素材に関する情報である素材情報を得ることができる。これにより使用者はより安心して飲食物３０を選ぶことができる。
【００４０】
また、素材情報には、飲食物３０の素材の分量が含まれる。使用者は、素材の分量を判断基準として飲食物３０を選ぶことができる。
【００４１】
また、素材情報には、飲食物３０の素材の原産地が含まれる。使用者は、素材の原産地を確認することができるため、より安心して飲食物を選ぶことができる。
【００４２】
また、素材情報には、飲食物３０の断面を示す画像が含まれる。使用者は、飲食物３０の断面を示す画像を視ることで、飲食物３０を構成する素材を確認することができ、より安心して飲食物３０を選ぶことができる。また、飲食物３０の断面を示す画像を使用者に視せることで飲食物３０に対する使用者の購買意欲をより高くすることができる。
【００４３】
また、素材情報には、飲食物３０の素材のうち、食物アレルギーを引き起こす可能性のある素材の名称が含まれる。使用者は、食物アレルギーを引き起こす可能性がある素材が含まれているか否かを判断することができるため、より安心して飲食物３０を選ぶことができる。
【００４４】
また、素材情報には、飲食物３０の素材のうち、宗教上の禁忌に該当する素材の名称が含まれる。使用者は、宗教上の禁忌に該当する素材が含まれているか否かを判断することができるため、より安心して飲食物３０を選ぶことができる。
【００４５】
また、透明ディスプレイ２２は、飲食物３０のカロリーの値を表示することが可能である。使用者は、飲食物３０のカロリーの値の確認することができるため、より安心して飲食物を選ぶことができる。
【００４６】
また、ショーケース１０の使用者は、透明ディスプレイ２２に表示される画像から物品の製造に関する情報（製造情報）を得ることができる。これにより使用者はより安心して物品を選ぶことができる。
【００４７】
また、製造情報には、収容室１２に収容された飲食物３０の賞味期限又は消費期限が含まれる。使用者は、飲食物３０の賞味期限又は消費期限を確認することができる。これにより、使用者はより安心して飲食物３０を選ぶことができる。
【００４８】
また、製造情報には、収容室１２に収容される飲食物３０の製造が完了する予定時刻（出来上がり時刻）が含まれる。使用者は、収容室１２に収容される飲食物３０の完成予定時刻を確認することができる。このため、例えば、その完成予定時刻に再度ショーケース１０を訪れるようにすれば、その飲食物３０を購入することができる。
【００４９】
また、製造情報には、収容室１２に収容された飲食物３０の製造方法が含まれる。使用者は、飲食物３０の作り方を確認することができる。これにより、使用者はより安心して飲食物３０を選ぶことができる。
【００５０】
また、ショーケース１０が設置された店舗においてショーケース１０以外の箇所に保管された飲食物３０と同じ種類の物品を保管物と定義した場合において、透明ディスプレイ２２は、収容室１２に収容された飲食物３０の個数と保管物の個数とを合計した数値を表示することが可能である。店舗では、在庫置き場からショーケース１０に飲食物３０を運搬する場合がある。このため、在庫置き場に飲食物３０があるにも関わらず、ショーケース１０内に十分な個数の飲食物３０が補充されていない場合が考えられる。従来、使用者は、ショーケース１０内の飲食物３０の個数のみを確認して購入するか否かを検討するため、ショーケース１０内に所望の個数の飲食物３０がない場合には、その飲食物３０の購入を諦める可能性があった。上記構成では、店舗にある飲食物３０の総数を使用者が知ることができるため、使用者がその飲食物３０の購入を諦める事態を抑制することができる。
【００５１】
また、透明ディスプレイ２２を備えることで、飲食物３０Ａ（第１物品）に関する情報を含む画像を領域２２Ａに表示させ、飲食物３０Ｂ（第２物品）に関する情報を含む画像を領域２２Ｂに表示させることができ、ショーケース１０の使用者に対して各飲食物３０Ａ，３０Ｂに関する情報を分かり易く提示することができる。
【００５２】
また、板状部材１５は方形状をなし、ケース本体１１は、板状部材１５を囲む方形状の枠部２５を備え、枠部２５の上辺を構成する上辺部２９における収容室１２側の面には、ＬＥＤ２４Ｄが設けられ、上辺部２９に設けられたＬＥＤ２４Ｄの光出射面２４Ａは、収容室１２側の面から遠ざかる方向に向かうにつれて下降傾斜する方向を向いている。ＬＥＤ２４Ｄから出射した光は、収容室１２側の面から遠ざかるにつれて下降傾斜する方向に出射される。このため、収容室１２に収容された飲食物３０を上方から照らすことができ、飲食物３０をより明るく見せることができる。
【００５３】
また、板状部材１５は、間隔を空けて対向配置された一対の板材１９，２０を備え、透明ディスプレイ２２及びタッチパネル２３は、一対の板材１９，２０の間に配されている。板状部材１５を一対の板材１９，２０によって構成し、一対の板材１９，２０の間に透明ディスプレイ２２及びタッチパネル２３を配することで、透明ディスプレイ２２及びタッチパネル２３が、収容室１２内の空気や外気と直接触れる事態を抑制できる。このため、透明ディスプレイ２２及びタッチパネル２３は周囲の温度の影響を受け難くなり、透明ディスプレイ２２及びタッチパネル２３の表面に結露が生じる事態を抑制することができる。
【００５４】
また、板状部材１５における収容室１２と反対側の面には、ヒータ２８が設けられている。ヒータ２８によって板状部材１５を温めることで、板状部材１５の表面で結露が生じる事態を抑制することができる。
【００５５】
また、人の接近を検出する人感センサ３１を備え、制御部３２は、人感センサ３１によって人の接近が検知された際には、透明ディスプレイ２２に表示されている画像を別の画像に切り替える画像切替処理を実行する。人が接近した場合に透明ディスプレイ２２に表示されている画像を自動的に切り替えることができる。
【００５６】
＜実施形態２＞
次に、本発明の実施形態２を図１９から図２１によって説明する。上記実施形態と同一部分には、同一符号を付して重複する説明を省略する。本実施形態では、冷蔵用のショーケース２１０について例示する。なお、本実施形態のショーケース２１０は、ワインセラーとして用いられる。ショーケース２１０は、図１９に示すように、箱状のケース本体２１１を備える。ケース本体２１１は、複数本のワイン２３０（物品）を収容することが可能な収容室２１２を構成する箱状の収容室構成部２１３と、前方に開口された収容室２１２を開閉可能な扉２１４と、を備える。収容室構成部２１３は、縦長の箱状をなしている。扉２１４は、方形状の板状部材２１５と、板状部材２１５を囲む方形状の枠部２２５と、を備える。板状部材２１５は、ガラスによって構成されており、光透過性を有している。このため、ショーケース２１０の使用者は、板状部材２１５越しに収容室２１２内のワイン２３０を視認することができる。つまり、板状部材２１５は、収容室２１２を構成する前壁部（壁部の一部）である。
【００５７】
板状部材２１５には、板状部材１５と同様に画像を表示することが可能な透明ディスプレイ２２２及び透明ディスプレイ２２２に対するタッチ操作を位置毎に検知することが可能なタッチパネル２２３が設けられている。透明ディスプレイ２２２は、正面視において、各ワイン２３０に対応する複数の領域２２２Ａ（図２０参照）を有している。使用者が各領域２２２Ａに対してタッチ操作を行うことで、各領域２２２Ａに表示される各画像について表示と非表示とを切り替えることができる。
【００５８】
透明ディスプレイ２２２が表示することが可能な画像としては、収容室２１２に収容されたワイン２３０に関する情報を含む画像を例示することができる。ワイン２３０に関する情報としては、ワイン２３０の製造に関する情報（製造情報）を含む画像を例示することができる。なお、ワイン２３０に関する情報は、上記実施形態と同様、例えば記憶部（図示せず）に記憶されており、図示しない制御部は記憶部に記憶されているデータに基づいて画像を生成し、その画像を透明ディスプレイ２２２に表示させることができる。
【００５９】
ワイン２３０の製造情報を含む画像としては、ワイン２３０に貼り付けられたラベルの画像を例示することができる。図２０にワイン２３０に貼り付けられたラベル２３０Ａの画像を示す。このラベル２３０Ａには、ワイン２３０の製造情報、具体的には、「ワイン２３０の銘柄、原産国、製造年（そのワインが何年物であるか）、アルコール度数」が記載されている。なお、ワイン２３０の銘柄、原産国、製造年、アルコール度数のうち、少なくとも１つが表示されてもよい。なお、このようなラベル２３０Ａは、通常ワイン２３０の前面に貼り付けられているが、一般的に各ワイン２３０は、図１９に示すように、横向き（ワイン２３０の上下方向がショーケース２１０の前後方向に沿う形）に配置されているため、板状部材１５越しに直接的にラベル２３０Ａを視認することは困難となっている。
【００６０】
また、透明ディスプレイ２２２には、図２１に示すように、収容室２１２に収容された複数本のワイン２３０のうち、特定のワインを推薦する文言を表示することができる。また、図２１に示すように、透明ディスプレイ２２２には、「注文する」の文言が表示されており、使用者は、その文言の箇所にタッチ操作を行うことで、推薦されたワイン２３０を注文することが可能となっている。具体的には、「注文する」の文言がタッチされると、店舗等に配置された管理用のコンピュータにその情報が送信され、そのコンピュータの表示画面等にそのワイン２３０が注文されたことが表示される。これにより、店舗の店員は、注文されたワイン２３０を使用者に提供することができる。また、透明ディスプレイ２２２には、図２０に示すように、収容室２１２に収容された各ワイン２３０に対応付けられた特定の料理（そのワイン２３０に合う料理）を推薦する文言を表示することができる（図２０の「おすすめの料理＊＊＊＊＊＊」の文言参照）。
【００６１】
次に本実施形態の効果について説明する。本実施形態によれば、透明ディスプレイ２２２に表示される画像に含まれる製造情報には、収容室２１２に収容されたワイン２３０の銘柄、原産国、製造年、アルコール度数のうち少なくとも１つが含まれる。使用者は、ワイン２３０を手に取ることなく（扉２１４を開閉することなく）、ワイン２３０の情報を確認することができる。
【００６２】
また、透明ディスプレイ２２２は、収容室２１２に収容された複数本のワイン２３０のうち、特定のワイン２３０を推薦する文言を表示することが可能である。使用者がお薦めのワインを知ることができるので、ワインを選択する際の手助けになると共に、ワインに対する使用者の購買意欲をより高くすることができる。
【００６３】
また、透明ディスプレイ２２２は、収容室２１２に収容されたワイン２３０に対応付けられた特定の料理を推薦する文言を表示することが可能である。例えば、ワインによく合う料理を使用者に提案することができるため、ワインに対する使用者の購買意欲をより高くすることができる。
【００６４】
＜実施形態３＞
次に、本発明の実施形態３を図２２から図２３によって説明する。上記実施形態と同一部分には、同一符号を付して重複する説明を省略する。本実施形態では、冷蔵用のショーケース３１０について例示する。なお、本実施形態のショーケース３１０は、ジョッキクーラーとして用いられる。ショーケース３１０は、図２２に示すように、箱状のケース本体３１１を備える。ケース本体３１１は、複数個のジョッキ３３０（物品）を収容することが可能な収容室３１２を構成する箱状の収容室構成部３１３と、前方に開口された収容室３１２を開閉可能な扉３１４と、を備える。収容室構成部３１３は、縦長の箱状をなしている。扉３１４は、方形状の板状部材３１５と、板状部材３１５を囲む方形状の枠部３２５と、を備える。板状部材３１５は、ガラスによって構成されており、光透過性を有している。このため、ショーケース３１０の使用者は、板状部材３１５越しに収容室３１２内のジョッキ３３０を視認することができる。つまり、板状部材３１５は、収容室を構成する前壁部（壁部の一部）である。
【００６５】
また、収容室構成部３１３の上方には機械室３１７が設けられ、その中には冷却装置１８（図２２の破線参照）が設置されている。これにより、冷却装置１８によって収容室３１２、ひいてはジョッキ３３０を冷却することが可能となっている。このようなジョッキ３３０は、例えば、ガラス製とされ、予め洗浄された後、収容室３１２に収容される。ジョッキ３３０は、洗浄時には、比較的温度が高い状態となり、その後、収容室３１２に収容されることで、冷却される。そして、収容室３１２内で十分冷えた状態のジョッキ３３０（所定温度以下に冷却された容器）になった後、使用者は、そのジョッキ３３０を収容室３１２から取り出し、ビール等の飲料を注ぐことで、よく冷えた状態の飲料を飲むことができる。収容室３１２には、ジョッキ３３０を陳列するための棚板３１６が複数段にわたって設けられている。このため、収容室３１２は、棚板３１６によって複数段（図２２では５段）の収容空間Ｄ１に仕切られている。
【００６６】
そして、複数の収容空間Ｄ１の各々には、各収容空間Ｄ１の温度を計測することが可能な温度センサ３５０がそれぞれ設けられている。そして、本実施形態では、制御部３２は、温度センサ３５０と電気的に接続されている。なお、本実施形態では、例えば、制御部３２は、機械室３１７に配された電装箱３１８内に収容されている。また、板状部材３１５には、画像を表示することが可能な透明ディスプレイ３２２及び透明ディスプレイ３２２に対するタッチ操作を位置毎に検知することが可能なタッチパネル３２３が設けられている。透明ディスプレイ３２２は、複数の領域３２２Ａを有しており、各領域３２２Ａは、正面視において、各収容空間Ｄ１と重なる領域となっている。つまり、本実施形態では、収容空間Ｄ１と、温度センサ３５０と、領域３２２Ａとが、それぞれ対応する形で設けられている。
【００６７】
制御部３２は、図２３に示すように、ある温度センサ３５０の検知温度Ｋ１が所定温度Ｔ１以下になった場合（図２３のステップＳ４１で「ＹＥＳ」）に、その温度センサ３５０が配されている収容空間Ｄ１と重なる領域３２２Ａ（透明ディスプレイが有する画像表示領域のうち、冷却された容器と重なる箇所）にジョッキ３３０が冷えていることを使用者に報知する文言を表示させる（図２３のステップＳ４２）。なお、図２２にジョッキ３３０が冷えていることを使用者に報知する文言の一例（「冷えています」の文言参照）を示す。
【００６８】
収容室３１２内にジョッキ３３０を入れた直後は、比較的暖かいジョッキ３３０の影響を受けて、ジョッキ３３０が収容された収容空間Ｄ１の温度が上昇する。その後、冷却装置１８によって収容空間Ｄ１が冷却されることで、収容空間Ｄ１の温度が下がっていく。このため、所定温度Ｔ１を試験等によって適宜設定すれば、温度センサ３５０の検知温度Ｋ１が所定温度Ｔ１以下になった時点で、ジョッキ３３０が十分に冷えていると判断することができる。なお、制御部３２は、「ジョッキ３３０が冷えていることを使用者に報知する文言」が領域３２２Ａに表示されている状態で、温度センサ３５０の検知温度Ｋ１が所定温度Ｔ１より高くなった場合には、「ジョッキ３３０が冷えていることを使用者に報知する文言」を消去する。また、温度センサ３５０の代わりに各ジョッキ３３０の温度をサーモグラフィ等の温度検知手段によって検知し、その検知温度が所定温度Ｔ１以下になった場合に、ジョッキ３３０が冷えていることを使用者に報知する文言を表示させるようにしてもよい。
【００６９】
このように、本実施形態では、透明ディスプレイ３２２に表示される画像に含まれる製造情報には、ジョッキ３３０が冷えていることを使用者に報知する文言が含まれており、透明ディスプレイ３２２は、透明ディスプレイ３２２が有する画像表示領域のうち、冷却されたジョッキ３３０と重なる箇所に文言を表示する。使用者は、収容室３１２に収容された複数のジョッキ３３０の中から、冷却されたジョッキ３３０を容易に識別することができるため、冷却されたジョッキ３３０を用いて、よく冷えた飲料を飲むことができる。なお、「ジョッキ３３０が冷えていることを報知する文言」は、「冷却されたジョッキ３３０」の製造が完了したことを報知するものであるため、「冷却されたジョッキ３３０」の製造に関する製造情報である。
【００７０】
＜実施形態４＞
次に、本発明の実施形態４を図２４によって説明する。上記実施形態と同一部分には、同一符号を付して重複する説明を省略する。本実施形態では、冷蔵用のショーケース４１０について例示する。ショーケース４１０は、図２４に示すように、箱状のケース本体４１１を備える。ケース本体４１１は、物品を収容することが可能な収容室４１２を構成する箱状の収容室構成部４１３と、前方に開口された収容室４１２を開閉可能な扉４１４と、を備える。収容室構成部４１３は、縦長の箱状をなしている。扉４１４は、方形状の板状部材４１５と、板状部材４１５を囲む方形状の枠部４２５と、を備える。板状部材４１５は、ガラスによって構成されており、光透過性を有している。このため、ショーケース４１０の使用者は、板状部材４１５越しに収容室４１２内の物品４３０（例えば冷蔵食品）を視認することができる。つまり、板状部材４１５は、収容室４１２を構成する前壁部（壁部の一部）である。
【００７１】
収容室４１２には、物品４３０を陳列するための棚板４１６が複数段にわたって設けられている。このため、収容室４１２は、棚板４１６によって複数段の収容空間Ｄ２に仕切られている。また、板状部材４１５には、画像を表示することが可能な透明ディスプレイ４２２及び透明ディスプレイ４２２に対するタッチ操作を位置毎に検知することが可能なタッチパネル４２３が設けられている。透明ディスプレイ４２２は、複数の領域４２２Ａを有しており、各領域４２２Ａは、正面視において、各収容空間Ｄ２と重なる領域となっている。
【００７２】
本実施形態では、特定の収容空間Ｄ２に対応した領域４２２Ａに、その収容空間Ｄ２に収容された物品４３０を強調する文言（図２４の「ただいま、セール中」の文言参照）を表示させることができる。これにより、特定の収容空間Ｄ２（符号Ｄ２Ｌを付す）に収容された物品４３０を使用者が認識し易くなり、使用者に対して、その収容空間Ｄ２内の物品４３０の購入を促すことができる。なお、複数段の収容空間Ｄ２を有する場合には、物品４３０を手に取り易い高さの収容空間Ｄ２（例えば８５ｃｍから１５０ｃｍ）にある物品４３０は売れ易く、手に取り難い高さの収容空間Ｄ２（例えば最下段や最上段）にある物品４３０は売れ難い。このため、例えば、手に取り難い高さの収容空間Ｄ２（図２４では最下段の収容空間Ｄ２）に物品４３０を強調する文言を表示すると好適である。また、透明ディスプレイ４２２には、収容された物品に関する情報以外の情報を表示させることも可能である。例えば、ショーケース４１０が会社等に設置されている場合には、その会社で実施されるイベントの告知、会社の方針等を透明ディスプレイ４２２に表示させてもよい。
【００７３】
さらに、ショーケース４１０では、扉４１４を開くことで前方から収容室４１２に物品４３０を入れることができる。本実施形態では、透明ディスプレイ４２２において、収容空間Ｄ２と重なる箇所に、その収容空間Ｄ２に入れる物品４３０の名称等を表示させることも可能である。これにより、使用者が収容室４１２に物品４３０を補充する際に、透明ディスプレイ４２２の表示画像を参照することで、正しい位置に物品４３０を設置することができる。
【００７４】
＜実施形態５＞
次に、本発明の実施形態５を図２５から図２６によって説明する。上記実施形態と同一部分には、同一符号を付して重複する説明を省略する。本実施形態では、冷蔵用のショーケース５１０について例示する。ショーケース５１０は、調光フィルムを備える点が上記実施形態１のショーケース１０と相違する。本実施形態では、図２５に示すように、板状部材１５の裏面に調光フィルム５４０が貼り付けられている。また、扉１４の前面には、白色の板材が配されておらず、その代わりに調光フィルム５４１が貼り付けられている。調光フィルム５４０，５４１は、それぞれ液晶の配向状態を変えることで光が透過する状態と不透過の状態を切り替えることが可能となっている。調光フィルム５４０，５４１は、制御部３２（図６参照）と電気的に接続されている。調光フィルム５４０，５４１は、例えば、非通電時は、白色の状態（不透明な状態）であり、通電時には、透明な状態となる。なお、本実施形態では、扉１４は、光透過性を有する材質（ガラス等）によって構成されている。
【００７５】
これにより、調光フィルム５４０，５４１を不透明な状態とすれば、収容室１２の内部を隠すことができる。また、調光フィルム５４０を透明な状態とすれば、前方から収容室１２の内部を観ることができる。また、調光フィルム５４１を透明な状態とすれば、後方から収容室１２の内部を観ることができ、例えば、ショーケース５１０の後方に居る使用者（店員等）が扉１４を開けることなく、収容室１２の状況を確認することができる。
【００７６】
また、ケース本体１１の前面は、透明ディスプレイ２２が設けられているため、収容室１２から前方に向かう光は、透明ディスプレイ２２を通過する過程で輝度が低下する。これに対して、ケース本体１１の後面は、透明ディスプレイ２２が設けられていないため、調光フィルム５４１を透明な状態とした場合、収容室１２から後方に向かう光は輝度が比較的高くなる。このため、図２６に示すように、制御部３２は、調光フィルム５４１が通電されている場合（調光フィルム５４１が透明な状態、図２６のステップＳ５１で「ＹＥＳ」）には、ＬＥＤ２４の輝度を低下させる（図２６のステップＳ５２）。これにより、ショーケース５１０の後方に居る使用者が眩しさを感じる事態を抑制できる。また、扉１４の開閉を検知するセンサ（例えば磁気式の近接センサ等）を備え、使用者が扉１４を開けた際に、制御部３２が、ＬＥＤ２４の輝度を低くするようにしてもよい。これにより、扉１４を開けた際に、ショーケース５１０の後方に居る使用者が眩しさを感じる事態を抑制できる。
【００７７】
＜実施形態６＞
次に、本発明の実施形態６を図２７によって説明する。上記実施形態と同一部分には、同一符号を付して重複する説明を省略する。本実施形態は、上記実施形態１のショーケース１０の収容室１２内にバーコード読取装置６５０が設けられている点が上記実施形態１と相違する。図２７に示すように、バーコード読取装置６５０は、収容室１２内において６つの領域２２Ａ〜２２Ｆに対応する箇所の各々に設けられている。本実施形態では、飲食物３０が載置されるトレイ６５１に、バーコード読取装置６５０で読取可能なバーコード６５１Ａが印刷されている。収容室１２に飲食物３０を収容する際に、作業者はトレイ６５１のバーコード６５１Ａをバーコード読取装置６５０に読み取らせる。
【００７８】
制御部３２（図６参照）は、各バーコード読取装置６５０とそれぞれ電気的に接続されている。記憶部３３（図６参照）には、バーコード６５１Ａと飲食物３０に関する情報とが関連付けられて記憶されている。制御部３２は、バーコード読取装置６５０で読み取ったバーコード６５１Ａに基づいて、この飲食物３０の種類を認識し、記憶部３３に記憶されているデータに基づいて、その飲食物３０に関する情報を対応する領域２２Ａ〜２２Ｆのいずれかに表示する。例えば、領域２２Ａに対応する箇所に設けられたバーコード読取装置６５０でバーコード６５１Ａを読み取った後、その領域２２Ａにタッチ操作が行われた場合には、領域２２Ａにそのバーコード６５１Ａに対応した飲食物３０Ａに関する情報を表示する。
【００７９】
例えば、飲食物３０Ａがショートケーキである場合、そのショートケーキが載置されるトレイ６５１のバーコード６５１Ａを領域２２Ａのバーコード読取装置６５０に読み取らせると、領域２２Ａにタッチ操作が行われた場合には、領域２２Ａにショートケーキに関する情報が表示される。このようにすれば、飲食物３０を収容した箇所に対応する領域（領域２２Ａ〜２２Ｆのいずれか）に、その飲食物３０に関する情報を確実に表示させることができる。
【００８０】
仮に、６つの領域２２Ａ〜２２Ｆに表示する情報（画像）が予め設定されている場合には、飲食物３０を収容室１２に収容する際に、各領域２２Ａ〜２２Ｆと飲食物３０の種類を対応付けて収容する必要がある。例えば、領域２２Ａにショートケーキに関する情報が表示されるように予め設定されていた場合には、領域２２Ａに対応する箇所にショートケーキを収容する必要がある。これに対して、本実施形態では、飲食物３０を収容室１２に収容する際に、バーコード６５１Ａを用いて、各領域２２Ａ〜２２Ｆに表示する画像を設定することができる。例えば、ショートケーキを領域２２Ａに対応する箇所に収容する際には、当該箇所に配されているバーコード読取装置６５０でバーコード６５１Ａを読み取った時点で、ショートケーキに関する情報が領域２２Ａに表示されるように設定される。つまり、収容された飲食物３０と、その飲食物３０が収容された箇所に表示される情報とを確実に一致させることができる。
【００８１】
なお、本実施形態では、バーコードを読み取らせる構成を例示したが、バーコードの代わりにトレイ６５１にＩＣタグを取り付け、収容室１２に飲食物３０を収容する際に、このＩＣタグを読取装置によって読み取らせることで、制御部３２が飲食物３０の種類を認識するようにしてもよい。また、制御部３２は、カメラを用いた画像認識によって、各飲食物３０の種類を認識し、各飲食物３０に関する情報を飲食物３０を収容した箇所に対応する領域に表示してもよい。
【００８２】
＜実施形態７＞
次に、本発明の実施形態７を図２８から図３０によって説明する。上記実施形態と同一部分には、同一符号を付して重複する説明を省略する。本実施形態のショーケース７１０は、上記実施形態１のショーケース１０と比べて、ＬＥＤユニットの配置数が増えている点が相違する。図２８に示すように、本実施形態では、枠部２５の下辺を構成する下辺部３６における収容室１２側の面には、ＬＥＤユニット７２６が設けられている。ＬＥＤユニット７２６は、ＬＥＤユニット２６の下方に配されている。ＬＥＤユニット７２６は、図２９に示すように、ＬＥＤ基板２７と、複数のＬＥＤ２４と、を備える。以下の説明では、ＬＥＤユニット７２６のＬＥＤ２４に符号２４Ｂを付す。ＬＥＤユニット７２６のＬＥＤ２４Ｂ（下辺部側光源）は、その光出射面２４Ａが、後方（収容室側の面から遠ざかる方向）に向かうにつれて上昇傾斜する方向を向いている。これにより、ＬＥＤユニット７２６のＬＥＤ２４Ｂから出射した光は、収容室１２側の面から遠ざかるにつれて上昇傾斜する方向に出射される。このため、収容室１２に収容された飲食物３０（特に下段に配された飲食物３０Ｄ）を下方から照らすことができ、物品をより明るく見せることができる。
【００８３】
また、図２９及び図３０に示すように、収容室１２の内面１２Ｃにおける前端部には、上下方向に延びるＬＥＤユニット７６０が設けられている。ＬＥＤユニット７６０は、ＬＥＤ基板２７と複数のＬＥＤ２４を備える。ＬＥＤユニット７６０は左右の内面１２Ｃ，１２Ｃにそれぞれ設けられ、対向配置されている。つまり、ＬＥＤユニット７６０のＬＥＤ２４は、その光出射面２４Ａが側方を向く形で配されている。ＬＥＤユニット７６０のＬＥＤ２４によって、収容室１２の前側に配された飲食物３０を確実に照らすことができる。なお、図３０の下側がショーケース７１０の前方であり、図３０の上側がショーケース７１０の後方である。
【００８４】
また、図２８に示すように、収容室１２の天井に設けられた露受け皿７７０の後面には、左右方向に長いＬＥＤユニット７７１が設けられている。ＬＥＤユニット７７１のＬＥＤ２４は、その光出射面２４Ａが後方を向く形で配されている。ＬＥＤユニット７７１のＬＥＤ２４から出射された光は、光反射面である内面１２Ｄに反射され前方に向かう。このため、ＬＥＤユニット７７１のＬＥＤ２４から出射された光によって、収容室１２の後側に配された飲食物３０（例えば符号３０Ｅ参照）を確実に照らすことができる。なお、図２８の二点鎖線で示すように、枠部２５の上辺部２９に設けられたＬＥＤ２４（ＬＥＤユニット２６Ａ）の代わりに、露受け皿７７０の前端部の下方にＬＥＤ２４を配置してもよい。
【００８５】
＜他の実施形態＞
本発明は上記記述及び図面によって説明した実施形態に限定されるものではなく、例えば次のような実施形態も本発明の技術的範囲に含まれる。
（１）ショーケースの用途や収容室に収容される物品は、上記実施形態で例示したものに限定されず、適宜変更可能である。例えば、ショーケースを収容室内に寿司ネタ等が収容されるネタケースとして用いてもよい。その場合には、例えば、透明ディスプレイに泳ぐ魚の動画等を表示させてもよい。
（２）上記実施形態では、冷却装置を備えるショーケースを例示したが、これに限定されない。例えば、ショーケースが温蔵機能を有するものであってもよい。つまり、ショーケースがヒータ等を用いて収容室の温度を上昇させることが可能な構成であってもよい。
【符号の説明】
【００８６】
１０，２１０，３１０，４１０，５１０…ショーケース、１１，２１１，３１１，４１１…ケース本体、１２…収容室、１５…板状部材、１９…板材、２０…板材、２２，２２２，３２２，４２２…透明ディスプレイ、２２Ａ…領域（第１物品と重なる第１領域）、２２Ｂ…領域（第２物品と重なる第２領域）、２３，２２３，３２３，４２３…タッチパネル、２４Ｄ…ＬＥＤ（上辺部における収容室側の面に設けられた光源）、２４Ａ…光出射面（光源の光出射面）、２４Ｂ…ＬＥＤ（下辺部側光源）２５，２２５，３２５，４２５…枠部、２８…ヒータ、２９…枠部の上辺を構成する上辺部、３０…飲食物（物品）、３０Ａ…飲食物（第１物品）、３０Ｂ…飲食物（第２物品）、３１…人感センサ、３２…制御部、２３０…ワイン（物品）、３２２Ａ…領域（透明ディスプレイが有する画像表示領域のうち、冷却された容器と重なる箇所）、３３０…ジョッキ（所定温度以下に冷却された容器）
【図１】
2020130487.tif 000003
【図２】
2020130487.tif 000004
【図３】
2020130487.tif 000005
【図４】
2020130487.tif 000006
【図５】
2020130487.tif 000007
【図６】
2020130487.tif 000008
【図７】
2020130487.tif 000009
【図８】
2020130487.tif 000010
【図９】
2020130487.tif 000011
【図１０】
2020130487.tif 000012
【図１１】
2020130487.tif 000013
【図１２】
2020130487.tif 000014
【図１３】
2020130487.tif 000015
【図１４】
2020130487.tif 000016
【図１５】
2020130487.tif 000017
【図１６】
2020130487.tif 000018
【図１７】
2020130487.tif 000019
【図１８】
2020130487.tif 000020
【図１９】
2020130487.tif 000021
【図２０】
2020130487.tif 000022
【図２１】
2020130487.tif 000023
【図２２】
2020130487.tif 000024
【図２３】
2020130487.tif 000025
【図２４】
2020130487.tif 000026
【図２５】
2020130487.tif 000027
【図２６】
2020130487.tif 000028
【図２７】
2020130487.tif 000029
【図２８】
2020130487.tif 000030
【図２９】
2020130487.tif 000031
【図３０】
2020130487.tif 000032